(57)【要約】【課題】  座部に対する背もたれ部の起立角度調節に連動して枕部による頭部支持角度を最適な角度となるように自動調節可能にした座椅子を提供する。【解決手段】  座部A1の骨格を形成する座フレーム１の後端に背もたれ部A2の骨格を形成する背もたれフレーム２の下端を回動自在に且つ角度調節自在に連結すると共に、背もたれフレーム２の上端に枕部A3の骨格を形成する頭部支持フレーム３の下端を回動自在に連結し、さらに、座フレーム１の後端部上面と頭部支持フレーム３の前面とを背もたれフレーム２の１側部上に沿って並行に配設したリンク７によって連結して背もたれフレーム２を起伏動作に連動して頭部支持フレーム３を背もたれフレーム２とは反対方向に回動させるように構成している。【選択図】    図２
2009055990.tif 000002
【特許請求の範囲】
【請求項１】
座部の骨格を形成する座フレームの後端に背もたれ部の骨格を形成する背もたれフレームの下端を回動自在に且つ角度調節自在に連結すると共に、背もたれフレームの上端に枕部の骨格を形成する頭部支持フレームの下端を回動自在に枢着してなる座椅子において、座フレームの後端部上面と頭部支持フレームの前面とに突片を突設し、これらの突片に背もたれフレームの前面に沿って並行に配設したリンクの上下端部をそれぞれ回動自在に枢着して、背もたれフレームの起伏動作に連動して頭部支持フレームを背もたれフレームの起伏方向に対して反対方向に起伏回動させるように構成したことを特徴とする座椅子。
【請求項２】
座フレームと背もたれフレームとを無段階に伸縮調整可能なロック機構を有するガスシリンダからなる角度調節機構によって連結し、このガスシリンダの作動によって背もたれフレームの起伏方向の回動角度を調節するように構成していることを特徴とする請求項１に記載の座椅子。
【請求項３】
座フレームは、金属パイプを平面コ字状に屈曲することによって座部の幅方向に長い前端座フレーム部の両側端に後方に向かって互い平行な両側座フレーム部を一体に形成してなる一方、背もたれフレームは、座フレームの両側座フレーム部と略同じ幅間隔を存して互いに平行に設けた一定長さの金属パイプからなる両側背フレーム部間を補強フレーム部によって一体に連結してなり、この両側背フレーム部の下端前部と上記座フレームの両側座フレーム部の後端上部とにブラケット片を突設してこれらのブラケット片同士を枢着することにより座フレームと背フレームとを回動自在に連結してあり、さらに、頭部支持フレームは、金属パイプを門形状に屈曲することによって両側背フレーム部間の幅に等しい長さを有する上端水平フレーム部の両側端に下方に向かって互いに平行な短脚フレーム部を一体に形成してなり、この両側短脚フレーム部の下端を両側背もたれフレーム部の上端に回動自在に枢着していることを特徴とする請求項１又は請求項２に記載の座椅子。
【発明の詳細な説明】
【技術分野】
【０００１】
本発明は、上端部に枕部を設けている背もたれ部を座部に対して起伏回動自在に且つ、角度調節可能に連結してなる座椅子であって、特に、枕部を背もたれ部の起伏に連動して前後方向に回動させ、頭部を安定した角度でもって支持することができる座椅子に関するものである。
【背景技術】
【０００２】
従来から、座部に対して背もたれ部を起伏回動自在に連結してなるリクライニング式の座椅子としては種々の構造のものが開発されており、さらに、背もたれ部の上端部に枕部を連設して該枕部の頭部支持角度を調節可能にした座椅子も広く知られている。例えば、この種の座椅子としては、特許文献１、２に記載されているように、座部の骨格を形成している座フレームの後端に背もたれ部の骨格を形成している背もたれフレームの下端をラチェット機構からなる角度調節機構を介して起伏する方向に回動自在に連結すると共に、背もたれフレームの上端に枕部の骨格を形成している頭部支持フレームの下端を同じくラチェット機構からなる角度調節機構を介して前後方向に回動自在に連結してなる構造を有している。
【０００３】
そして、使用に際しては、座フレームに対して背もたれフレームを所望の角度にまで起立、又は、傾倒させると共に頭部支持フレームを背もたれフレームの上端に対して前後方向に回動させて枕部で支持される頭部の支持角度を調整している。
【０００４】
【特許文献１】特開２００３−８８４４５号公報
【特許文献２】実用新案登録第３１１６５１９号公報
【発明の開示】
【発明が解決しようとする課題】
【０００５】
しかしながら、上記のように構成した座椅子によれば、座部に角度調節機構を介して起伏回動自在に連結している背もたれ部の上端に、ラチェット機構からなる別な角度調節機構を介して枕部を前後方向に単独的に回動自在に連結しているので、構造が複雑化してコスト高になるばかりでなく、背もたれ部の背支持角度調節と、この角度に応じた頭部支持角度の調節とを別々に行わなければならないために、その操作に手間を要すると共に操作が煩わしくなって頭部の支持角度を調節することなくそのまま使用する場合が頻繁に行われ、安楽な姿勢でもって着座することができない形態のまま使用して座り心地を大きく損なうといった問題点があった。
【０００６】
本発明はこのような問題点に鑑みてなされたもので、その目的とするところは、枕部による頭部支持角度を単独的に調節することなく、簡単な構造によって背もたれ部の角度調節に連動してこの角度に応じた最適な頭部支持角度となるように自動調節可能にした座椅子を提供するにある。
【課題を解決するための手段】
【０００７】
上記目的を達成するために、本発明の座椅子は、請求項１に記載したように、座部の骨格を形成する座フレームの後端に背もたれ部の骨格を形成する背もたれフレームの下端を回動自在に且つ角度調節自在に連結すると共に、背もたれフレームの上端に枕部の骨格を形成する頭部支持フレームの下端を回動自在に枢着してなる座椅子において、座フレームの後端部上面と頭部支持フレームの前面とに突片を突設し、これらの突片に背もたれフレームの前面に沿って並行に配設したリンクの上下端部をそれぞれ回動自在に枢着して、背もたれフレームの起伏動作に連動して頭部支持フレームを背もたれフレームの起伏方向に対して反対方向に起伏回動させるように構成している。
【０００８】
このように構成した座椅子において、請求項２に係る発明は、座フレームと背もたれフレームとを無段階に伸縮調整可能なロック機構を有するガスシリンダからなる角度調節機構によって連結し、このガスシリンダの作動によって背もたれフレームの起伏方向の回動角度を調節するように構成している。
【０００９】
さらに、請求項３に係る発明は、座フレームは、金属パイプを平面コ字状に屈曲することによって座部の幅方向に長い前端座フレーム部の両側端に後方に向かって互い平行な両側座フレーム部を一体に形成してなる一方、背もたれフレームは、座フレームの両側座フレーム部と略同じ幅間隔を存して互いに平行に設けた一定長さの金属パイプからなる両側背フレーム部間を補強フレーム部によって一体に連結してなり、この両側背フレーム部の下端前部と上記座フレームの両側座フレーム部の後端上部とにブラケット片を突設してこれらのブラケット片同士を枢着することにより座フレームと背フレームとを回動自在に連結してあり、さらに、頭部支持フレームは、金属パイプを門形状に屈曲することによって両側背フレーム部間の幅に等しい長さを有する上端水平フレーム部の両側端に下方に向かって互いに平行な短脚フレーム部を一体に形成してなり、この両側短脚フレーム部の下端を両側背もたれフレーム部の上端に回動自在に枢着していることを特徴とする。
【発明の効果】
【００１０】
本発明の座椅子によれば、座部の骨格を形成している座フレームに対して背もたれ部の骨格を形成している背もたれフレームを回動自在に且つ角度調節自在に連結すると共に、背もたれフレームの上端に枕部の骨格を形成している頭部支持フレームの下端を前後方向に回動自在に枢着し、この頭部支持フレームの前面と上記座フレームの後端部上面とに突片を突設してこれらの突片に背もたれフレームの前面に沿って該前面に並行に配設したリンクの上下端部をそれぞれ回動自在に枢着しているので、背もたれ部を前方に向かって起立させれば、この起立動作に連動してリンクが座フレームと背もたれフレームとの連結部の手前側における座フレームの基端部上に突設している突片を支点として起立して、枕部の骨格を形成している頭部支持フレームを、背もたれ部の骨格を形成している背もたれフレームの上端を支点として自動的に後方に傾倒させることができる。
【００１１】
従って、背もたれ部を前方に向かって大きく起立させると、頭部支持フレームが背もたれフレームの延長線上に達するまで後方に傾倒して枕部を背もたれ部の延長方向に向けた状態にすることができ、着座した身体をその背部から頭部にまで真っ直ぐな安楽な姿勢に保持することができる。さらに、この状態から背もたれ部を後方に伏する方向に傾倒させると、その傾倒に従って頭部支持フレームがリンクを介して上記とは反対方向である前方に向かって起立する方向に回動させることができ、背もたれ部の傾倒角度が大きくなるに従って枕部の起立角度が増大してその間のどの位置において背もたれ部を固定させても、頭部を仰向けにすることなく顎を引いた安定した快適な背もたれ姿勢に保持することができる。
【００１２】
そして、背もたれフレームを完全に倒した状態にすると、背もたれ部が座部と同一平面上に連なったマットレス形態となり、この形態にすると頭部支持フレームがリンクを介して最大限にまで起立した状態となって枕部を高くすることができ、背もたれ部と座部とによって形成されたこのマットレス上に横臥した時に枕部に頭部を安楽な姿勢となるように支持させることができる。
【００１３】
請求項２に係る発明によれば、上記座フレームと背もたれフレームとを無段階に伸縮調整可能なロック機構を有するガスシリンダからなる角度調節機構によって連結しているので、座椅子に着座した状態で手元操作によりガスシリンダを作動させて背もたれ部を簡単且つ確実に座部に対して起伏回動させることができると共に所望の傾倒角度に調節することができる。
【００１４】
さらに、請求項３に係る発明によれば、座フレームは、金属パイプを平面コ字状に屈曲することによって座部の幅方向に長い前端座フレーム部の両側端に後方に向かって互い平行な両側座フレーム部を一体に形成してなる一方、背もたれフレームは、座フレームの両側座フレーム部と略同じ幅間隔を存して互いに平行に設けた一定長さの金属パイプからなる両側背フレーム部間を補強フレーム部によって一体に連結してなり、この両側背フレーム部の下端前部と上記座フレームの両側座フレーム部の後端上部とにブラケット片を突設してこれらのブラケット片同士を枢着することにより座フレームと背フレームとを回動自在に連結してあり、さらに、頭部支持フレームは、金属パイプを門形状に屈曲することによって両側背フレーム部間の幅に等しい長さを有する上端水平フレーム部の両側端に下方に向かって互いに平行な短脚フレーム部を一体に形成してなり、この両側短脚フレーム部の下端を両側背もたれフレーム部の上端に回動自在に枢着しているので、構造が簡単で組立も容易に行える座椅子の骨組を提供することができる。
【発明を実施するための最良の形態】
【００１５】
次に、本発明の具体的な実施の形態を図面について説明すると、図１は座椅子Ａの骨組み構造を示す簡略斜視図、図２はその側面図、図３は座椅子Ａの斜視図であって、この座椅子Ａは、座椅子Ａの座部A1の骨格を形成する座フレーム１と、座椅子Ａの背もたれ部A2の骨格を形成する背もたれフレーム２と、座椅子Ａの枕部A3の骨格を形成する頭部支持フレーム３とを備えてなるもので、座フレーム１の後端に背もたれフレーム２の下端を起伏する方向に回動自在に枢着すると共にこれらの座フレーム１と背もたれフレーム２間を角度調節機構４によって連結してあり、さらに、背もたれフレーム２の上端に頭部支持フレーム３の下端を前後方向に回動自在に枢着している共に、上記座フレーム１の後端部における一側上面と頭部支持フレーム３の一側前面とに突片５、６をそれぞれ突設してこれらの突片５、６に背もたれフレーム２の前面に沿って並行に配設したリンク７の上下端部を回動自在に枢着している。
【００１６】
さらに上記構造を詳述すると、上記座フレーム１は、金属パイプを平面コ字状に屈曲することによって座椅子Ａの座部A1の幅方向に長い前端座フレーム部1aの両側端に後方に向かって互いに平行な両側座フレーム部1b、1bを一体に形成してなり、これらの両側座フレーム部1b、1bの前後部における対向面間に平帯板形状の前後補強フレーム部1c、1dを一体に固着している。一方、上記背もたれフレーム２は、座フレーム１の両側座フレーム部1b、1b間の間隔と同じ幅間隔を存して互いに平行に設けた一定長さの金属パイプからなる両側背フレーム部2a、2aと、これらの両側背フレーム部2a、2aの上部間と下端間とを連結している補強フレーム部2b、2cとからなる。そして、この両側背フレーム部2a、2aの下端前部に前方に向かって斜め下方に傾斜したブラケット片８、８を突設する一方、上記座フレーム１の両側座フレーム部1b、1bの後端上部に上方に向かって斜め後方に傾斜したブラケット片９、９を突設して対向するブラケット片８、９の先端部を重ね合わせた状態でピン又は短軸により互いに回動自在に枢着10、10している。
【００１７】
また、上記頭部支持フレーム３は、金属パイプを門形状に屈曲することによって上記両側背フレーム部2a、2a間の幅に等しい長さを有する上端水平フレーム部3aの両側端に下方に向かって互いに平行な一定長さを有する短脚フレーム部3b、3bを一体に形成してなり、この両側短脚フレーム部3b、3bの下端部を両側背もたれフレーム部2aの上端に固着しているＵ字状の軸受片11、11内に挿入した状態で該下端を軸受片11にピン又は短軸により回動自在に枢着12、12している。
【００１８】
上記座フレーム１の両側座フレーム部1b、1bにおける一方の座フレーム部1bの後端部上面に上方に向かって一定長さを有する上記突片５を突設してあり、この突片５の上端部に上記リンク７の下端部をピン又は短軸により回動自在に枢着13していると共にこの枢着部13は上記座フレーム１の座フレーム部1bと背もたれフレーム２の背フレーム部2aとの枢着部10から前方に小間隔を存した位置に設けられている。さらに、上記頭部支持フレーム３の一側短脚フレーム部3bの前面における長さ方向の中間部に前方に向かって一定長さを有する上記突片６を突設してあり、この突片６の前端部に上記リンク７の上端部をピン又は短軸により回動自在に枢着14している。
【００１９】
従って、背もたれフレーム２の一側背フレーム部2aと、リンク７と、頭部支持フレーム３の一側短脚フレーム部3bにおける下端と中間部とにそれぞれ連結しているこれらの一側背フレーム部2aとリンク７との上端枢着部12、14間を結ぶ線と、座フレーム１の一側座フレーム部1bにおける後端前後部に連結しているこれらの背フレーム部2aとリンク７との下端枢着部10、13間を結ぶ線とによって、この下側の枢着部10、13を支点として一側背フレーム部2aとリンク７とが一体的に前後方向に回動する四辺形の仮想リンク機構が形成されてあり、図２に示すように背フレーム部2aと頭部支持フレーム３の短脚フレーム部3bとが一直線上に設けられている状態から背フレーム部2aを後方に伏する方向に傾倒させると、頭部支持フレーム３の短脚フレーム部3bが逆方向、即ち、起立する方向に回動するように構成している。
【００２０】
背もたれフレーム２を所望の角度に調節する角度調節機構４は、無段階に伸縮調整可能なロック機構を有するガスシリンダ（ダンパー）によって形成されている。このようガスシリンダは公知のように、適量の油と圧縮ガスを封入しているシリンダ内にピストンを摺動自在に配設してこのピストンにより区画されているシリンダ内の２室をピストンに設けているオリフィスを通じて連通させていると共に、ピストンにこのオリフィスによる２室の連通を開閉するバルブが設けられいて、このバルブによりオリフィスによる２室の連通を遮断している時にはピストンがロックされてあり、２室を連通させた時にロックが解除されてガス圧によりこのピストンと一体のロッド4aを伸長させるように構成している。
【００２１】
バルブの開放は、ピストンロッド4aの中空内を通じて該ロッド4aから突出しているピンをレバー4bを操作することによって押し込むことにより行われ、このレバー操作を止めるとバルブはガス圧によって自動的に閉止してロック状態となる。なお、ピストンロッド4aにガス圧以上の外圧を加えると該ロッド4aは後退する。
【００２２】
このガスシリンダからなる角度調節機構４は、座フレーム１の一側部上に前後方向に向けて略水平に配設されてあり、そのシリンダ部の外底面を背もたれフレーム２の下端補強フレーム部2cにおける一側下面に突設したブラケット15に上下方向に回動自在に枢着16されている一方、ピストンロッド4aの突出端を座フレーム１における前側補強フレーム部1cの１側上面に突設した支持片17に受止させてあり、上記バルブの開放を行うピンの突出端部をこの支持片17に貫通させていると共に支持片17の一側部に上記レバー4bを回動自在に支持させてこのレバー4bを上記ピンの突出端部に連結して該レバー4bの操作によりピンを作動させるように構成している。
【００２３】
また、上記座フレーム１と背もたれフレーム２及び頭部支持フレーム３は、クッション材（図示せず）によって被覆されていると共にこのクッション材をカバーによって被覆することによりそれぞれ座椅子Ａにおける上記座部A1、背もたれ部A2、枕部A3を形成している。なお、図２においては座部A1、背もたれ部A2、枕部A3を二点鎖線で示している。
【００２４】
このように構成した座椅子Ａの使用態様を説明すると、通常は図２に示すように、座部A1に対して背もたれ部A2を垂直状態から後方に向かって僅かに傾けた形態、即ち、該背もたれ部A2を前方に向かって大きく起立させ、且つ、この背もたれ部A2の骨格を形成している背もたれフレーム２の両側背フレーム部2a、2aに対して枕部３の骨格を形成している頭部支持フレーム３の両側短脚フレーム部3b、3bを略一直線上になるように後方に向かって僅かに傾けた状態にして着座する。この状態においては、身体の背部から頭部に背もたれ部A2と枕部３により略真っ直ぐな姿勢となるように支持させることができる。
【００２５】
この状態から身体の背中によって背もたれ部A2に、該背もたれ部A2を後方に傾倒させようとする方向に荷重を掛けながらレバー4bを操作して角度調節機構４を構成しているガスシリンダのピストンに設けているバルブを開放させると、ロックが解かれてピストンが摺動可能となり、背もたれ部A2に掛けている荷重によってこの背もたれ部A2の下端に連結しているガスシリンダのシリンダ部を内部のガス圧に抗して押し進めながら背もたれ部A2を座フレーム１の後端との枢着部10を支点として後方に伏する方向に傾動させる。
【００２６】
背もたれ部A2がその背もたれフレーム２の両側背フレーム部2a、2aの下端部と座フレーム１における両側座フレーム部1b、1bの後端部との上記枢着部10を支点として後方に傾動すると、この両側背フレーム部2a、2aの上端と頭部支持フレーム３の両側短脚フレーム部3b、3bの下端との枢着部12が上記枢着部10を中心とする円弧上を後方に移動すると共にその移動に伴って頭部支持フレーム３は、その一側短脚フレーム部3bの長さ方向の中間部前面に上記リンク７の上端部を回動自在に連結させている枢着部14を中心として図４、図５に示すように前方に向かって起立回動すると共にこの枢着部14を介してリンク７はその下端枢着部13を支点として背もたれフレーム２と一体的に後方に傾動する。なお、図５においては、座部A1、背もたれ部A2、枕部A3を二点鎖線で示している。
【００２７】
こうして背もたれ部A2を所望の傾斜角度となるまで傾倒させたのち、上記レバー4bを手放すと、ガスシリンダ内のガス圧によってピストンに設けているバルブが自動的に閉止してオリフィスによる２室の連通を遮断し、ピストンロッド4aがロックされて背もたれ部A2を上記傾斜角度に保持する。この状態にすると、身体の背部がさらに後方に倒れた安楽な姿勢でもって背もたれ部A2に支持され、且つ、身体の頭部が枕部A3の起立回動によって顎を引いた安定した状態で該枕部A3上に載置、支持させることができる。
【００２８】
上述したように、背もたれフレーム２の一側背フレーム部2aと、リンク７と、頭部支持フレーム３の一側短脚フレーム部3bにおける下端と中間部とにそれぞれ連結しているこれらの一側背フレーム部2aとリンク７との上端枢着部12、14間を結ぶ線と、座フレーム１の一側座フレーム部1bにおける後端前後部に連結しているこれらの背フレーム部2aとリンク７との下端枢着部10、13間を結ぶ線とによって、この下側の枢着部10、13を支点として一側背フレーム部2aとリンク７とが一体的に前後方向に回動する四辺形の仮想リンク機構を形成しているので、下側枢着部10、13を支点として一側背フレーム部2aとリンク７とが後方に傾動すると、頭部支持フレーム３がその短脚フレーム部3bの下端と一側背フレーム部2aの上端との枢着部12を中心として、この枢着部12よりも上方に位置する短脚フレーム部3bの長さ方向の中間部前面とリンク７の上端との枢着部14をリンク７の傾動に従って該リンク７により引き寄せるようにしながら前方に回動することになる。
【００２９】
枕部A3の骨格を形成している頭部支持フレーム３の前方に向かっての起立回動量は、背もたれ部A2の骨格を形成している上記背フレーム部2a、2aの後方に向かっての傾動量に比例して増大し、図６、図７に示すように、背もたれ部A2が水平状態となるまで背もたれフレーム２を完全に倒した状態にすると、背もたれ部A2が座部A1と同一平面上に連なったマットレス形態となり、この形態にすると頭部支持フレーム３がリンク７を介して最大限にまで起立した状態となって枕部A3が高くなって、このマットレス上に横臥した時に枕部A3に頭部を安楽な姿勢となるように支持させることができる。なお、図７においては、座部A1、背もたれ部A2、枕部A3を二点鎖線で示している。
【００３０】
また、この状態から背もたれ部A2を起立させるには、上記ガスシリンダの作動用レバー4bを操作してピストンに設けているバルブを開放させると、ロックが解かれてピストンが摺動可能となり、ガスシリンダ内のガス圧によってロッド4aが伸長して背もたれフレーム２が枢着部10を支点として起立する。この背もたれフレーム２が起立するに従ってリンク７も枢着部13を支点として起立すると共に頭部支持フレーム３との枢着部14に対して突っ張り方向の力が作用して該頭部支持フレーム３を背もたれフレーム２との枢着部12を支点として後方に傾動させる。
【００３１】
このように背もたれ部A2を起立させると共に、該背もたれ部A2に身体の背部等からの押圧力を付与して所望の起立角度に設定した状態でレバー4bを手放すと、ピストンロッド4aがロックされて背もたれ部A2が上記起立角度に保持することができる。
【００３２】
なお、以上の実施形態において、座フレーム１と背もたれフレーム２とを無段階に伸縮調整可能なロック機構を有するガスシリンダからなる角度調節機構４によって連結してこのガスシリンダの作動によって背もたれフレーム２の起伏方向の回動角度を調節するように構成しているが、角度調節機構としてガスシリンダに代えて座フレーム１と背もたれフレーム２とを回動自在に枢着した枢着部10にラチェット機構からなる角度調節機構を設けておいてもよい。また、上記座椅子Ａ内にバイブレータ等のマッサージ器を設けてマッサージ座椅子として使用するように構成しておいてもよい。
【図面の簡単な説明】
【００３３】
【図１】座椅子の骨組み構造を示す簡略斜視図。
【図２】その側面図。
【図３】座椅子の斜視図。
【図４】背もたれフレームを後方に傾倒させた状態の簡略斜視図。
【図５】その側面図。
【図６】背もたれフレームを完全に倒した状態の簡略斜視図。
【図７】その側面図。
【符号の説明】
【００３４】
Ａ  座椅子
A1  座部
A2  背もたれ部
A3  枕部
１  座フレーム
２  背もたれフレーム
３  頭部支持フレーム
４  角度調節機構
５、６  突片
７  リンク
10、12〜14  枢着部
【図１】
2009055990.tif 000003
【図２】
2009055990.tif 000004
【図３】
2009055990.tif 000005
【図４】
2009055990.tif 000006
【図５】
2009055990.tif 000007
【図６】
2009055990.tif 000008
【図７】
2009055990.tif 000009